(57)【要約】【課題】  ケーブルヘッドの各種形状に対応して、取付け・付替えなどの設置が容易で簡単に持ち運び可能なケーブルヘッド用足場装置を提供する。【解決手段】  上下方向に延びるケーブルヘッド１に昇降するためのケーブルヘッド用足場装置１０であって、上下方向に延びる主柱１１と、この主柱１１に対して垂直に延びて配設されて回動することで前記主柱１１と並行に折り畳んで収容可能な複数の足場体１２と、前記主柱１１の前記ケーブルヘッド１側に配設されて緩衝材から構成されるクッション１３と、前記主柱１１を前記ケーブルヘッド１に着脱自在に固定するベルト体１４と、を備える。【選択図】  図１
2013121259.tif 000002
【特許請求の範囲】
【請求項１】
上下方向に延びるケーブルヘッドに昇降するための、ケーブルヘッド用足場装置であって、
上下方向に延びる主柱と、
前記主柱に対して垂直に延びて配設され、回動することで前記主柱と並行に折り畳んで収容可能な複数の足場体と、
前記主柱の前記ケーブルヘッド側に配設され、緩衝材から構成されるクッションと、
前記主柱を前記ケーブルヘッドに着脱自在に固定するベルト体と、
を備えることを特徴とするケーブルヘッド用足場装置。
【請求項２】
前記主柱に、この主柱の長手方向に沿って延びるレール部と、このレール部を走行自在でフックを有するフック体と、
を備えることを特徴とする請求項１に記載のケーブルヘッド用足場装置。
【請求項３】
前記主柱は折り畳み自在となっている、
ことを特徴とする請求項１または２のいずれか１項に記載のケーブルヘッド用足場装置。
【請求項４】
前記主柱の一端部には嵌合部が設けられ、前記主柱の他端部には前記嵌合部が嵌合する被嵌合部が設けられている、
ことを特徴とする請求項１から３のいずれか１項に記載のケーブルヘッド用足場装置。
【発明の詳細な説明】
【技術分野】
【０００１】
この発明は、気中上下方向に延びるケーブルヘッドの保守のために設置されて作業者が容易に昇降可能にするケーブルヘッド用足場装置に関する。
【背景技術】
【０００２】
従来、気中上下方向に延びるケーブルヘッドの保守として、点検・清掃・補修、およびリード線の開放・接続などの作業を主に実施している。この作業は短時間の作業であるため、作業者は直接ケーブルヘッドの碍管ひだに足を乗せ、安全帯を併用して、無理な体勢で作業を実施している。しかしながら、直接碍管ひだに足を乗せた場合、作業員の姿勢が不安定になり易く、上下移動において墜落してしまう危険性を伴っている。
【０００３】
また、大規模で長時間の作業では、ケーブルヘッドの近隣に単管パイプ足場を設置し、その足場を介して作業を実施している。しかし、この単管足場では、墜落防止となるが、作業の度に設置・解体するのは面倒で作業時間も長くなり効率が悪くなるとともに、作業に所定の費用が必要となる。さらに、変電所内においては、単管パイプ等の長尺物が充電部に接近して感電する危険性を伴っている。
【０００４】
このように従来の保守および維持作業では、比較的簡易で短時間作業となる機会が多いが、それに見合った簡易な足場は少なかった。そこで、従来、作業の安全性を向上させる手段として、以下のような解決手段が先願されている。
【０００５】
このような従来の解決手段としては、ケーブルヘッドの土台のボルトを利用し、簡易足場を形成する「気中ケーブルヘッド用の簡易足場」（例えば、特許文献１参照。）などが知られている。
【先行技術文献】
【特許文献】
【０００６】
【特許文献１】特開２０１０−０２２１０６号公報
【発明の概要】
【発明が解決しようとする課題】
【０００７】
しかしながら、従来の気中ケーブルヘッド用の簡易足場（特許文献１）では、ケーブルヘッド固定ボルトの付け・外しによる組立・解体を必要とし汎用性に乏しく、時間を費やすため簡易作業において実用的でなかった。
【０００８】
そこで、この発明は、ケーブルヘッドの各種形状に対応して、取扱いが容易なケーブルヘッド用足場装置を提供することを目的としている。
【課題を解決するための手段】
【０００９】
前記の課題を解決するために、請求項１の発明は、上下方向に延びるケーブルヘッドに昇降するためのケーブルヘッド用足場装置であって、上下方向に延びる主柱と、この主柱に対して垂直に延びて配設され、回動することで前記主柱と並行に折り畳んで収容可能な複数の足場体と、前記主柱の前記ケーブルヘッド側に配設されて緩衝材から構成されるクッションと、前記主柱を前記ケーブルヘッドに着脱自在に固定するベルト体と、を備えることを特徴とする。
【００１０】
この発明によれば、棒状の主柱をケーブルヘッドの外形に合わせて立て掛けるとともに、このケーブルヘッドと主柱との間にクッションが介在されて保護し、主柱に設けたベルト体をケーブルヘッドに巻き付けて簡単に固定し、足場を設けることができる。
【００１１】
請求項２の発明は、請求項１に記載のケーブルヘッド用足場装置において、主柱に、この主柱の長手方向に沿って延びるレール部と、このレール部を走行自在でフックを有するフック体と、を備えることを特徴とする。
【００１２】
請求項３の発明は、請求項１または２のいずれか１項に記載のケーブルヘッド用足場装置において、主柱は折り畳み自在となっている、ことを特徴とする。
【００１３】
請求項４の発明は、請求項１から３のいずれか１項に記載のケーブルヘッド用足場装置において、主柱の一端部には嵌合部が設けられ、前記主柱の他端部には前記嵌合部が嵌合する被嵌合部が設けられている、ことを特徴とする。
【発明の効果】
【００１４】
請求項１に記載の発明によれば、主柱をケーブルヘッドの外側に沿って立てるだけの簡単な構造のため、安全で容易な取付けが可能となり、足場取付け時間の短縮を図れる。また、取付けが容易なため、足場取付けにかかる費用を低コスト化することができる。さらに、ケーブルヘッドの形状に合わせて取付けることが可能なため、あらゆる形状のケーブルヘッドに適用可能である。
【００１５】
請求項２に記載の発明によれば、移動レール部にフック体が付属されているため、フック体に工具などを引っ掛けて移動でき、スムーズかつ安全な上下移動が可能となる。
【００１６】
請求項３に記載の発明によれば、主柱が折り畳み自在なため、持ち運びが容易となる。
【００１７】
請求項４に記載の発明によれば、ケーブルヘッドに設置した主柱の嵌合部に、更なる別の主柱の被嵌合部を継ぎ足して連結可能なため、ケーブルヘッドが長い場合でも、本装置を複数連結することで、ケーブルヘッドの上部まで移動することができる。
【図面の簡単な説明】
【００１８】
【図１】この発明の実施の形態に係るケーブルヘッド用足場装置を示す外観斜視図である。
【図２】図１の主柱および足場体の折り畳み構造を示す図であり、（ａ）は主柱の折り畳み状態を、（ｂ）は足場体の折り畳み状態を、（ｃ）は両方を折り畳んだ状態を各々示している。
【図３】図１の主柱１１に備えた篏合部１１ｂとフック体１５とを示す斜視図である。
【図４】図４は、図３の主柱にフック体を取付けた状態を示す側面図である。
【図５】図１のケーブルヘッド用足場装置をケーブルヘッドに装着した状態を示す外観図である。
【図６】図５の各断面を示す図であり、（ａ）はＡ−Ａ線断面を、（ｂ）はＢ−Ｂ線断面を各々示している。
【図７】図５のケーブルヘッド用足場装置に作業者が乗った状態を示す外観斜視図である。
【発明を実施するための形態】
【００１９】
以下、この発明を図示の実施の形態に基づいて説明する。
【００２０】
図１は、この発明の実施の形態に係るケーブルヘッド用足場装置を示す外観斜視図である。このケーブルヘッド用足場装置１０は、図１に示すように、気中上下方向に延びるケーブルヘッド１（図７参照）に昇降するためのケーブルヘッド用足場装置であって、上下方向に延びる主柱１１と、この主柱１１に対して垂直に延びて配設されて回動することで主柱１１と並行に折り畳んで収容可能な複数の足場体１２と、主柱１１のケーブルヘッド１側に配設されて緩衝材から構成されるクッション１３と、主柱１１をケーブルヘッド１に着脱自在に固定するベルト体１４と、を備えている。
【００２１】
まず、図２を参照して主柱１１および足場体１２について詳しく説明する。図２は、図１の主柱１１および足場体１２の折り畳み構造を示す図であり、（ａ）は主柱１１の折り畳み状態を、（ｂ）は足場体１２の折り畳み状態を、（ｃ）は両方を折り畳んだ状態を各々示している。図２（ａ）に示すように、主柱１１は、上下方向に棒状に延びて、ほぼ中央部分が切断されて二分され、この切断端部を、例えば蝶番などの回動部材１１ａにより連結して折り畳み自在となるように形成されている。
【００２２】
また、足場体１２は、図２（ａ）に示したように、主柱１１に対して左右に各々垂直に延びた状態から、主柱１１と並行になるよう先端を上方に持ち上げるように回動させて折り畳むことで、主柱１１と並行した状態に収容可能に形成されている。この足場体１２は、図２（ｂ）に示すように、主柱１１の折り畳み構造と同様に、蝶番などの回動部材１２ａにより主柱１１の側部に回動自在に取付けられている。また、足場体１２の先端側には、外側面をゴムなどの材質で覆うことで、作業者が把持または踏んだ際に滑らないように形成することも可能である。
【００２３】
そして、この主柱１１と足場体１２とは、各々回動させて折り畳むことにより、図２（ｃ）に示すように、作業員が容易に持ち運び可能なサイズにコンパクト化される。この際、主柱１１および足場体１２は、好ましくは、図２（ｃ）に示した折り畳んだ状態で、持ち運び時に元の位置に回転して容易に戻らないようにロックする構造（図示せず）をさらに備えることが最も望ましい。
【００２４】
また、主柱１１の足場体１２が装着された複数個所には、図１に示したクッション１３が複数（図１では４箇所）取り付けられている。このクッション１３は、ケーブルヘッド１にケーブルヘッド用足場装置１０を設置させる際に、碍管ひだ１ａ（図７参照）に当接させて、碍管を破損させないための緩衝材の役割をしている。
【００２５】
さらに、主柱１１の長手方向に複数取り付けられたクッション１３の間には、ベルト体１４が複数（図１では３箇所）取り付けられている。このベルト体１４は、ケーブルヘッド１にケーブルヘッド用足場装置１０を設置させた（立て掛けた）際に、主柱１１が外れない（倒れない）ように、碍管ひだ１ａに巻いて固定させるためのものである。このベルト体１４は、碍管ひだ１ａの径に合わせて長さを調整（図示せず）して固定することが可能であり、様々な径の碍管に適応可能に形成されている。
【００２６】
ここで、主柱１１には、図１及び図２に図示していなが、さらに作業性を向上させる篏合部１１ｂとフック体１５とが備えられている。この篏合部１１ｂとフック体１５とについて、図３および図４を参照して詳しく説明する。図３は、図１の主柱１１に備えた篏合部１１ｂとフック体１５とを示す斜視図である。また、図４は、図３の主柱１１にフック体１５を取付けた状態を示す側面図である。
【００２７】
まず、主柱１１は、図１に示すように、棒状に延びた長手方向に沿って中空の空洞が形成されており、この中空の開口断面がＣ字状になるように外周の一部を切欠いて長手方向に沿って切り欠いた隙間が延びてなるレール部１１ａを備えている。この主柱１１は、アルミまたはステンレスなどの軽い材質により形成され、その強度や可搬性を考慮することで、長手方向の長さや空洞の大きさが設定される。また、レール部１１ａには、図３に示すように、走行自在のフック体１５が装着されている。
【００２８】
このフック体１５は、所定の間隔で平行に配置された一対の板部１５ａと、この板部１５ａの中心を連結する連結部１５ｂと、この板部１５ａの外側面中央にリング状に突出させたリング部１５ｃと、この板部１５ａが平行する内側に取付けられるバネ部材１５ｄと、により構成されている。そして、フック体１５は、連結部１５ｂを主柱１１のレール部１１ａの下端から篏合するように挿入することで、レール部１１ａに沿って走行自在に装着される。
【００２９】
ここで、フック体１５は、リング部１５ｃに工具などを引っ掛けて所定の高さに走行させながら使用するものであり、主柱１１のレール部１１ａに沿って所定の高さで停止させるため、バネ部材１５ｄが装着されている。また、レール部１１ａには、図４に示すように、主柱１１の空洞内面に鋸刃状の凹凸部１１ｃが形成されており、この凹凸部１１ｃに前述したフック体１５のバネ部材１５ｄを係合させる構造に形成されている。
【００３０】
すなわち、フック体１５は、レール部１１ａに装着されると、図４に示した主柱１１の凹凸部１１ｃにバネ部材１５ｄが係合されて下方に降下しない構造に形成されている。また、フック体１５は、レール部１１ａに沿って上方に上昇させると、バネ部材１５ｄが凹凸部１１ｃの凹凸間隔毎に付勢と係合とを繰り返しながら多段式に上昇するように形成されている。
【００３１】
ところで、フック体１５は、作業状況によって、レール部１１ａを上昇させて主柱１１の上端または途中で下方に降下させたい場合がある。この場合、作業者がレール部１１ａの隙間から棒状の工具などにより、バネ部材１５ｄの下端を、図４に示したＸ方向に押し出すことで、凹凸部１１ｃとの係合が外れ、降下させることが可能になる。
【００３２】
また、主柱１１は、図３に示した棒状に延びる一端部（図３では上端）に嵌合部１１ｂが設けられ、他端部（図３では下端）には嵌合部１１ｂが嵌合する被嵌合部１１ｄが設けられている。篏合部１１ｂは、他端部の被嵌合部１１ｄが篏合可能な形状に形成され、例えば、別の装置１０の被嵌合部１１ｄを篏合させて、装置１０を複数継ぎ足すことが可能に設けられている。また、篏合部１１ｂは、側部にネジ孔Ｄが開口され、このネジ孔Ｄにボルト１６を締結させることで、被嵌合部１１ｄを嵌合させた時の側面に、ボルト１６の先端を当接させて固定できるように形成されている。
【００３３】
一方、被嵌合部１１ｄは、主柱１１の嵌合部１１ｂと異なる他端側に設けられ、嵌合部１１ｂに篏合した際、容易に外れ（抜け）ることなく作業者が乗っても耐えうるように、嵌合部１１ｂとの篏合深さなどの条件に合わせて、強度や外形寸法などを十分に考慮して設けられている。また、被嵌合部１１ｄは、図３に示した嵌合部１１ｂに締結させたボルト１６の先端を側面に当接させて固定しているが、当接した側面の変形などで篏合に影響を与えないように、例えば、ボルト１６を貫通させる孔Ｃ（図３に示した点線部）などの抜け防止構造を備えることも可能である。
【００３４】
すなわち、嵌合部１１ｂと被嵌合部１１ｄとは、作業者が使用した際の安全性を十分に考慮して、お互いの形状や強度を十分に考慮した上で、適宜、その形状や固定方法を変えて形成されている。
【００３５】
次に、このような構成のケーブルヘッド用足場装置１０をケーブルヘッド１に装着して用いる動作を、図５〜７を参照して詳しく説明する。図５は、図１のケーブルヘッド用足場装置１０をケーブルヘッド１に装着した状態を示す外観図である。また、図６は、図５の各断面を示す図であり、（ａ）はＡ−Ａ線断面を、（ｂ）はＢ−Ｂ線断面を各々示している。また、図７は、図５のケーブルヘッド用足場装置１０に作業者が乗った状態を示す外観斜視図である。
【００３６】
まず、ケーブルヘッド１の高さを確認し、ケーブルヘッド用足場装置１０の現場設備に見合った最小限の数量を選定する。ここでは、ケーブルヘッド用足場装置１０を１つ用いる場合を例にして以下説明する。まず、ケーブルヘッド用足場装置１０は、現場の設置場所に搬送される際、図２（ｃ）に示した折り畳まれた状態で搬入され、現場で作業者が主柱１１を折り畳まれた状態から、図１に示した設置可能な状態に展開する。
【００３７】
そして、図１に示した設置可能な状態のケーブルヘッド用足場装置１０は、図５に示すように、ケーブルヘッド１の上下方向に延びる側部にクッション１３側が接触するように立て掛けて設置される。この際、ケーブルヘッド用足場装置１０は、図６（ａ）に示すように、ケーブルヘッド１の碍管ひだ１ａにクッション１３が当接することで、設置時に碍管に金属製の主柱１１などが当接して破損しないように防止している。
【００３８】
また、ケーブルヘッド１にケーブルヘッド用足場装置１０が設置されると、図６（ｂ）に示すように、ベルト体１４を碍管ひだ１ａに巻いて、碍管ひだ１ａに主柱１１が外れないように把持させて固定する。この際、ベルト体１４は、碍管ひだ１ａの径に合わせて長さを調整可能であり、作業前にあらかじめ碍管ひだ１ａの径を確認し、設置前に調整しておくことで、作業効率を向上することができる。
【００３９】
ここで、ケーブルヘッド用足場装置１０は、図７に示すようにケーブルヘッド１の碍管ひだ１ａの外径が上方に向かって小さくなる碍管でも、主柱１１の傾きを調整して設置できるため、様々な径の碍管に適応することができる。また、ケーブルヘッド１の高さがケーブルヘッド用足場装置１０より高い場合でも、図３に示した篏合部１１ｂを設けることで、新たな別の主柱１１を継ぎ足すことで簡単に対応することができる。さらに、図３に示したフック体１５を用いて工具類を引っ掛けておくことで、作業員が腰などに様々な工具を装着するのに比べて、工具の落下などを防止でき安全に作業ができる。このフック体１５は、作業者にワイヤなどで繋いでおくことで、作業者が主柱１１の上方に上るのに合わせて自動的に上昇させることができ、かつ作業者の落下防止にもなる。
【００４０】
最後に、ケーブルヘッド１の保守作業が完了すると、図７に示したベルト体１４を外すことで簡単にケーブルヘッド１からケーブルヘッド用足場装置１０を取外しでき、さらに図２（ｃ）の状態に折り畳むことで容易に持ち運ぶことができる。すなわち、ケーブルヘッド用足場装置１０の簡単な構造により、ケーブルヘッド１への取付け・取外しが短時間ででき、安全かつ低コストで作業を終了することができる。
【００４１】
以上のように、このケーブルヘッド用足場装置１０によれば、主柱１１をケーブルヘッド１の外側に沿って立てるだけの簡単な構造のため、安全で容易な取付けが可能となり、足場取付け時間の短縮を図れる。また、取付けが容易なため、足場取付けに係る費用を低コスト化することができる。また、ケーブルヘッド１の外側に合わせて取付けることが可能なため、あらゆる形状のケーブルヘッドに適用可能である。
【００４２】
また、ケーブルヘッド用足場装置１０によれば、主柱１１のレール部１１ａにフック体１５が付属されているため、フック体１５に工具などを引っ掛けて移動できるため、スムーズかつ安全な上下移動が可能となる。
【００４３】
また、ケーブルヘッド用足場装置１０によれば、主柱１１が折り畳み自在なため、持ち運びが容易となる。
【００４４】
さらに、ケーブルヘッド用足場装置１０によれば、ケーブルヘッド１に設置した主柱１１の嵌合部１１ｂに、更なる別の主柱１１の被嵌合部１１ｄを継ぎ足して連結可能なため、ケーブルヘッド１が長い場合でも、本装置１０を複数連結することで、ケーブルヘッド１の上部まで移動することができる。
【００４５】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、図３に示した主柱１１の上端に篏合部１１ｂを、下端に被篏合部１１ｄを設けたケーブルヘッド用足場装置について説明しているが、上端に被篏合部１１ｄを、下端に篏合部１１ｂを設けて主柱１１の下端で継ぎ足すように用いてもよい。
【符号の説明】
【００４６】
１        ケーブルヘッド
１ａ      碍管ひだ
１０      ケーブルヘッド用足場装置
１１      主柱
１１ａ    レール部
１１ｂ    篏合部
１１ｃ    凹凸部
１１ｄ    被篏合部
１２      足場体
１３      クッション
１４      ベルト体
１５      フック体
１５ａ    板部
１５ｂ    連結部
１５ｃ    リング部
１５ｄ    バネ部材
【図１】
2013121259.tif 000003
【図２】
2013121259.tif 000004
【図３】
2013121259.tif 000005
【図４】
2013121259.tif 000006
【図５】
2013121259.tif 000007
【図６】
2013121259.tif 000008
【図７】
2013121259.tif 000009